(57)【要約】【課題】  小規模放送局等の利用者が市民アーティストの演ずる音楽番組を選択して放送でき、かつ市民アーティストにとっては自分の作品を発表できる場が与えられる放送番組提供システムを提供する。【解決手段】  市民アーティストに関する必要事項と市民アーティストの著作権や活動実績を登録して管理するデータベース１と、市民アーティストが独自に利用者５向けに制作した番組を登録管理するコンテンツサーバー２からなり、前記利用者５が前記コンテンツサーバー２にアクセスして、前記登録された番組を選択して自局の番組に取り入れて放送する放送番組提供システム。【選択図】図１
2013183167.tif 000002
【特許請求の範囲】
【請求項１】
市民アーティストに関する必要事項と市民アーティストの著作権や活動実績を登録して管理するデータベースと、市民アーティストが独自に利用者向けに制作した番組を登録管理するコンテンツサーバーからなり、
前記利用者が前記コンテンツサーバーにアクセスして、前記登録された番組を選択して自局の番組に取り入れて放送することを特徴とする放送番組提供システム。
【請求項２】
前記利用者が前記コンテンツサーバーにアクセスして、生放送配信番組をコンテンツサーバーに予約して同時双方向で生放送することを特徴とする請求項１記載の放送番組提供システム。
【請求項３】
前記利用者を、コミュニティーＦＭ局としたことを特徴とする請求項１又は２記載の放送番組提供システム。
【発明の詳細な説明】
【技術分野】
【０００１】
本発明は、市民アーティストとコミュニティーＦＭ局や情報番組配信業者等の利用者をつなぐ放送番組提供システムに関するものである。
ここで、市民アーティストとは、一市内程度の特定の地域内で活動して、自己の楽曲、歌唱、演劇等の作品を発表する個人又はグループであり、市民に応援されるアーティストを指す。
【背景技術】
【０００２】
コミュニティーＦＭラジオ放送は、近隣で影響のない周波数が割り当てられ通常のＦＭラジオで聞くことができるもので、いわゆる地域密着型の放送局として、地域住民から親しまれており、近年では各地で開設されるようになり、また開設を希望する者も増えている。しかしながら割り当て周波数に限度があるため、新規割り当てはかなり困難なのが現状である。そのため、特許文献１による発明によってコミュニティーＦＭ局の周波数割り当ての自律的な管理方式が提供されていた。
【先行技術文献】
【特許文献】
【０００３】
【特許文献１】特開２０１０−２１９７８号公報
【０００４】
この発明は、小電力送信所を約２ｋｍのメッシュに配置し、１から９ＣＨまでの９波を同時送信するブロックを１単位とする、ネットワーク放送局を提供するもので、この放送局は９ＣＨの周波数をその地域内はもとより、近隣を含めた全域で繰り返し同一周波数を使用して、ブロック連結構造を形成させ、自律管理するシステムである。
【０００５】
この発明によると、既設局は周辺の不感地域に放送エリアを拡大することが可能になり、開設を希望する地域は周波数割り当て制限が緩和されて開設が可能になり、地域の活性化に役立てることができるのである。
【発明の概要】
【発明が解決しようとする課題】
【０００６】
しかしながら、前記特許文献１記載の発明では、開設を希望する地域での新規開設が可能となるが、コミュニティーＦＭ局は地域密着型であって、地域情報に力を入れているが放送局の規模が小さいため、番組の作成に多大な費用と労力をつぎ込むことができず、番組の内容がマンネリ化してきて、コミュニティーＦＭ局のもつ本来の長所を発揮することができなかった。
【課題を解決するための手段】
【０００７】
請求項１に記載の発明は、市民アーティストに関する必要事項と市民アーティストの著作権や活動実績を登録して管理するデータベースと、市民アーティストが独自に利用者向けに制作した番組を登録管理するコンテンツサーバーからなり、前記利用者が前記コンテンツサーバーにアクセスして、前記登録された番組を選択して自局の番組に取り入れて放送することを特徴とする放送番組提供システムである。
【０００８】
請求項２に記載の発明は、前記利用者が前記コンテンツサーバーにアクセスして、生放送配信番組をコンテンツサーバーに予約して同時双方向で生放送する放送番組提供システムである。
【０００９】
請求項３に記載の発明は、前記利用者を、コミュニティーＦＭ局とした放送番組提供システムである。
【発明の効果】
【００１０】
請求項１記載の発明によれば、利用者は遠隔地における市民アーティストの演ずる音楽番組を選択して放送できるため、市民アーティストにとっては自分の作品を発表できる場が与えられると共に、利用者にとっては簡易な手段により地域に密着した放送番組を常に放送することができるのである。
【００１１】
請求項２記載の発明によれば、利用者は生放送配信番組を同時双方向で生放送することができるため、市民アーティストにとっても利用者にとっても、作品をライブで放送できるというメリットがある。
【００１２】
請求項３記載の発明によれば、利用者がコミュニティーＦＭ局のような小規模の放送局の場合は、市民アーティストにとっては自分の作品を全国の遠隔地において自分の作品が発表でき、ＦＭ局にとっては簡易な手段により遠隔地の情報を収集でき、地域に密着した放送番組を常に放送することができるのである。
【図面の簡単な説明】
【００１３】
【図１】本発明の実施形態１のフローチャート
【図２】本発明の実施形態１のフローチャート
【図３】本発明の実施形態１のフローチャート
【発明を実施するための形態】
【００１４】
図に基づき本発明の実施形態１を説明する。
図１は、本実施形態のシステムの概略を示すフローチャートである。
アーティストデータベース１に登録されたデータはコンテンツサーバー２に送信される。このコンテンツサーバー２には、コンテンツデータベース２１と番組予定表データベース２２が構成されており、アーティストデータベース１の内容は、まずコンテンツデータベース２１に記録され、その後所定の内容が番組予定表データベース２２に送られる。
【００１５】
一方、利用者５は、利用者管理データベース３に必要事項を登録した後、前記番組予定表データベース２２にアクセスして、登録された番組を選択して自局の番組に取り入れて放送することができる。
ここで利用者とは、コミュニティーＦＭ局などの小規模放送局やその他の情報番組配信業者等を指す。
【００１６】
図２は、本実施形態の市民アーティスト登録に関するフローチャートである。
まずステップ１１で、市民アーティストの基本情報、例えば、アーティスト名、プロフィール、活動拠点、または個展・ステージ・発表会・ライブ等の実績、あるいは音楽・美術・デザイン等の作品等の基本情報を登録する。
次いでステップ１２で、これらの情報に基づいて配信番組を制作し、ステップ１３で作品保護の必要性を決め、保護の必要がある場合にはステップ１４で著作権登録の申請を行いステップ１５へ、また保護の必要がない場合には直接ステップ１５で実績登録を行い、その後前記アーティストデータベース１に登録する。
【００１７】
図３は、本実施形態の利用者の番組利用に関するフローチャートである。
前記利用者５は、利用者管理データベース３に利用者登録をした後、ステップ３１で番組情報を登録する。この場合、予め登録されている番組を、前記番組予定表データベース２２にアクセスして内容を確認し、自己の放送希望の番組等の内容や日時等を予約する。その予約がＯＫであれば、前記コンテンツデータベース２１へ送信され登録されて、当該日時にその番組が、コンテンツサーバー２より利用者５へ送られてきて放送される。
【００１８】
前記ステップ３１で、良い番組がないため番組情報を予約しなかった場合は、ステップ３２に進んで、過去に放送された番組、（以下、録画番組という）を前記番組予定表データベース２２の中から選択すること、または希望する内容の番組をリクエストし双方向同時番組を制作することを選択することができる。なお、選択する番組がなければ「ＥＮＤ」で終わる。
【００１９】
選択する録画番組、または番組をリクエストする双方向同時番組の制作がある場合には、ステップ３３にすすみ利用配信登録を行う。これは、検索コード、地域、内容、時間、ジャンル等の予め決められた必要項目を決めて登録するのである。
【００２０】
その後、ステップ４１で双方向同時番組（ライブ）の制作か録画番組かの選択を行う。
録画番組の場合は、ステップ４３で前記ステップ３２で選択した番組要求情報が前記コンテンツデータベース２１に利用登録されて、コミュニティーＦＭ局や情報番組配信業者の番組として利用できる。
【００２１】
一方、ライブが希望の場合は、ステップ４２でライブの予約または希望する番組の内容をリクエスト予約する。ステップ４４でライブを予定している番組またはリクエスト番組に対応する市民アーティスト番組と利用者５が同期して予約され、当該時間がきたらオンとなり生放送のライブの放送ができるように設定される。この情報が前記コンテンツデータベース２１に送られて記録される。
【００２２】
本実施形態によれば、コミュニティーＦＭ局等の利用者が、市民アーティストの演ずる音楽番組を選択して放送できるため、市民アーティストにとっては自分の作品を発表できる場が与えられると共に、利用者にとっては簡易な手段により地域に密着した放送番組を常に放送することができ、かつ利用者は生放送配信番組を同時双方向で生放送することができる。
【００２３】
また、利用者がコミュニティーＦＭ局のような小規模の放送局の場合は、さらに地域に密着してサービスができると共に、市民アーティストの発表にチャンスも拡大する。
【符号の説明】
【００２４】
１  アーティストデータベース
２  コンテンツサーバー
３  利用者管理データベース
５  利用者
２１  コンテンツデータベース
２２  番組予定表データベース
【図１】
2013183167.tif 000003
【図２】
2013183167.tif 000004
【図３】
2013183167.tif 000005